(57)【要約】【課題】個人間での画像の配信において、観賞者に対する娯楽性を付加して画像を表示する画像表示装置と、コンピュータをそのような画像表示装置として動作させる画像表示プログラムを提供する。【解決手段】画像を表わす画像データに、人物を示す識別情報が付加されてなる識別情報付画像データを取得する画像データ取得部２３０と、画像データ取得部２３０によって取得された識別情報付画像データを構成する識別情報が示す人物に関わる人物関係情報を所定の入手方法で入手する情報入手部２４０と、画像データ取得部２３０で取得された識別情報付画像データを構成する画像データが表わす画像と、情報入手部２４０によって入手された人物関係情報とを表示する表示部２５０とを備えた。【選択図】        図４
2005184148.tif 000002
【特許請求の範囲】
【請求項１】
画像を表わす画像データに、人物を示す識別情報が付加されてなる識別情報付画像データを取得する画像データ取得部と、
前記画像データ取得部によって取得された識別情報付画像データを構成する識別情報が示す人物に関わる人物関係情報を所定の入手方法で入手する情報入手部と、
前記画像データ取得部で取得された識別情報付画像データを構成する画像データが表わす画像と、前記情報入手部によって入手された人物関係情報とを表示する表示部とを備えたことを特徴とする画像表示装置。
【請求項２】
前記人物関係情報を記憶する情報記憶部を備え、
前記情報入手部が、前記情報記憶部から前記人物関係情報を入手するものであることを特徴とする請求項１記載の画像表示装置。
【請求項３】
外部から情報を受けとる通信部を備え、
前記情報入手部が、前記人物関係情報を、前記通信部を介して入手するものであることを特徴とする請求項１記載の画像表示装置。
【請求項４】
前記識別情報が、該識別情報が付加される画像データが表わす画像の作成者を示すものであって、
前記情報入手部が、前記人物関係情報として、前記作成者が所定の登録場所に登録している情報を入手するものであることを特徴とする請求項１記載の画像表示装置。
【請求項５】
前記識別情報が、該識別情報が付加される画像データが表わす画像と同等な画像の配信を受けた受領者を示すものであって、
前記情報入手部が、前記人物関係情報として、前記受領者が所定の登録場所に登録している情報を入手するものであることを特徴とする請求項１記載の画像表示装置。
【請求項６】
前記情報入手部が、前記識別情報付画像データを構成する識別情報が示す人物に関わる人物関係情報のうち該識別情報付画像データの所有者にも関わる情報を入手するものであることを特徴とする請求項１記載の画像表示装置。
【請求項７】
画像を表わす画像データに、人物を示す識別情報が付加されてなる識別情報付画像データを取得する画像データ取得処理部と、
前記画像データ取得処理部によって取得された識別情報付画像データを構成する識別情報が示す人物に関わる人物関係情報を所定の入手方法で入手する情報入手処理部と、
前記画像データ取得処理部で取得された識別情報付画像データを構成する画像データが表わす画像と、前記情報入手処理部によって入手された人物関係情報とを表示する表示処理部とを備えたことを特徴とする画像表示プログラム。
【発明の詳細な説明】
【技術分野】
【０００１】
本発明は、画像データが表わす画像を表示する画像表示装置に関する。
【背景技術】
【０００２】
近年、例えばデジタルカメラ等といった、画像を画像データとして得る撮影装置が広く普及している。これに伴い、例えば友人同士等といった個人の間において、インターネット等といった通信網を介した画像の配信が広く行なわれるようになってきている。このような画像の配信を受けたユーザは、モニタを備えたコンピュータに代表される、画像データが表わす画像を表示する画像表示装置を利用して、配信されてきた画像を見ることになる。通常、このような画像を表わす画像データは、例えば画像表示装置として動作するコンピュータ内のメモリや、ＣＤ−ＲＯＭやフレキシブルディスク等といった記憶媒体に格納され、ユーザが特定の画像を観賞したいと思った時に読み出されて、コンピュータのモニタ等といった所定の表示部に表示される。ここで、ユーザが１つの画像を繰り返して観賞するうちに、その１つの画像に対してユーザ自身が飽きてしまうことは人間の心理として否めない現象である。
【０００３】
ところで、上述したような個人から個人への画像の配信ではなく、画像等を含むコンテンツ情報を配信する情報配信業者から、そのような業者と契約を結んだユーザへの情報配信において、ユーザが予め指定しておいた、例えば画像のレイアウトや好みの情報分野等といったコンテンツ条件に従って、コンテンツ情報を配信することにより、ユーザに対する娯楽性を有したコンテンツ情報を提供するという技術が提案されている（例えば、特許文献１参照。）。
【特許文献１】特開２００３−１８６９０３号公報（段落番号００３４−０１１２、図３）
【発明の開示】
【発明が解決しようとする課題】
【０００４】
例えばこのような技術によって配信され、ユーザの画像表示装置に表示される画像は、ユーザの好みの分野の画像であり、しかも画像表示装置には好みのレイアウトで表示されるので、ユーザによる数回の観賞にも耐え得る画像である。
【０００５】
しかしながら、特許文献１に示す技術による画像の配信においては、ユーザは、配信される画像に関わる分野やレイアウト等といった諸条件を、予め配信元に指定しなければならない。ところが、個人間での画像の配信においては、画像の配信者は不特定多数である場合が多く、画像を受け取る側（ここでの例では、画像を観賞する、画像表示装置のユーザ）が、誰が画像を配信してくるかを予め全て把握し、上記の諸条件を予め配信元に指定する等といったことは困難であるため、上記の技術を個人間での画像の配信にそのまま適用して、配信される画像に娯楽性を持たせることには無理がある。とはいうものの、配信された画像を観賞する側にしてみれば、その画像に娯楽性が付加されていることが望ましいことはいうまでもない。
【０００６】
本発明は、上記事情に鑑み、個人間での画像の配信において、観賞者に対する娯楽性を付加して画像を表示する画像表示装置と、コンピュータをそのような画像表示装置として動作させる画像表示プログラムを提供することを目的とする。
【課題を解決するための手段】
【０００７】
上記目的を達成する本発明の画像表示装置は、画像を表わす画像データに、人物を示す識別情報が付加されてなる識別情報付画像データを取得する画像データ取得部と、
上記画像データ取得部によって取得された識別情報付画像データを構成する識別情報が示す人物に関わる人物関係情報を所定の入手方法で入手する情報入手部と、
上記画像データ取得部で取得された識別情報付画像データを構成する画像データが表わす画像と、上記情報入手部によって入手された人物関係情報とを表示する表示部とを備えたことを特徴とする。
【０００８】
本発明の画像表示装置では、上記識別情報付画像データを構成する画像データが表わす画像をユーザが上記表示部で観賞する際には、その画像とともに上記人物関係情報も表示される。その人物関係情報の表示は、上記識別情報を手掛かりに上記情報入手部によって自動的に入手される。つまり、本発明の画像表示装置では、ユーザが、配信されてきた画像を単に観賞するだけで、その画像に、その画像の配信者に関わる情報という娯楽性が付加されることとなる。従って、本発明の画像表示装置によれば、不特定多数の配信者からの画像配信が想定される個人間での画像の配信において、娯楽性を付加して画像を表示することができる。ここで、上記人物関係情報の一例としては、上記表示部に表示されている画像を作って配信した作成者の近況等が挙げられる。また、その人物関係情報が、その作成者によって適宜更新されるものであると、上記の作成者が過去にユーザに配信した画像を介した、この作成者からユーザへのコミュニケーション等も可能となる。
【０００９】
ここで、本発明の画像表示装置は、
「上記人物関係情報を記憶する情報記憶部を備え、
上記情報入手部が、上記情報記憶部から上記人物関係情報を入手するものである」
という形態であっても良い。
【００１０】
このような形態の画像表示装置によれば、人物関係情報を、例えば、その人物関係情報に対応する人物から直接に、あるいはインターネット上のデータベース等から入手して上記情報記憶部に記憶しておくという運用が可能である。このように記憶した人物関係情報を適宜に更新することにより、この情報記憶部から最新の人物関係情報を入手することができる。
【００１１】
あるいは、本発明の画像表示装置は、
「外部から情報を受けとる通信部を備え、
上記情報入手部が、上記人物関係情報を、上記通信部を介して入手するものである」
という形態であっても良い。
【００１２】
このような形態の画像表示装置によれば、例えば、インターネット上に、画像を配信しあう複数のユーザ全てがアクセス可能なデータベース等といった記憶領域を設定しておき、そのような記憶領域に、全てのユーザに、自分に関わる人物関係情報を登録させておき、上記情報入手部にそのような記憶領域から上記人物情報を取得させる等といった運用が可能である。
【００１３】
また、本発明の画像表示装置において、
「上記識別情報が、その識別情報が付加される画像データが表わす画像の作成者を示すものであって、
上記情報入手部が、上記人物関係情報として、上記作成者が所定の登録場所に登録している情報を入手するものである」
という形態は好ましい形態である。
【００１４】
このような好ましい形態の画像表示装置によれば、ユーザは、配信されてきた画像を観賞する際に、その画像の作成者が意図的に上記登録場所に登録した、即ち、その作成者が意図的にアピールしたい情報を知ることができる。ここで、例えば、上記情報入手部が、上記作成者が所定の登録場所に登録している情報の中から最新の情報を入手するものであるならば、ユーザは、上記の作成者がアピールしたい最新の情報を知ることができる。
【００１５】
あるいは、本発明の画像表示装置において、
「前記識別情報が、該識別情報が付加される画像データが表わす画像と同等な画像の配信を受けた受領者を示すものであって、
前記情報入手部が、前記人物関係情報として、前記受領者が所定の登録場所に登録している情報を入手するものである」
という形態も好ましい形態である。
【００１６】
例えば、ユーザが上記作成者であって、ユーザ自身が作成した画像を上記受領者に配信する場合、上記のような形態の画像表示装置によれば、ユーザが、自分自身が作成した画像を観賞する際に、自分が画像を配信した受領者が、意図的に上記登録場所に登録した、即ち、その受領者が意図的にアピールしたい情報を知ることができる。ここで、例えば、上記情報入手部が、上記受領者が所定の登録場所に登録している情報の中から最新の情報を入手するものであるならば、ユーザは、上記の受領者がアピールしたい最新の情報を知ることができる。
【００１７】
本発明の画像表示装置において、上記情報入手部が、上記識別情報付画像データを構成する識別情報が示す人物に関わる人物関係情報のうちその識別情報付画像データの所有者にも関わる情報を入手するものであるという形態は好ましい形態である。
【００１８】
このような好ましい形態の画像表示装置によれば、例えば、現在、ある画像を観賞している観賞者が、その画像を作成し配信した作成者であっても、あるいはその画像の配信を受けた受領者であっても、通信の相手に関わるだけでなく、その観賞者自身にも関わる、例えば、上記作成者および上記受領者の双方に共通の趣味に関する情報等をその画像の観賞時に知ることができる。
【００１９】
さらに、上記目的を達成する本発明の画像表示プログラムは、画像を表わす画像データに、人物を示す識別情報が付加されてなる識別情報付画像データを取得する画像データ取得処理部と、
上記画像データ取得処理部によって取得された識別情報付画像データを構成する識別情報が示す人物に関わる人物関係情報を所定の入手方法で入手する情報入手処理部と、
上記画像データ取得処理部で取得された識別情報付画像データを構成する画像データが表わす画像と、上記情報入手処理部によって入手された人物関係情報とを表示する表示処理部とを備えたことを特徴とする。
【００２０】
本発明の画像表示プログラムによれば、コンピュータを上述の本発明の画像表示として動作させることができる。
【００２１】
尚、本発明の画像表示プログラムについては、ここではその基本形態のみを示すのにとどめるが、これは単に重複を避けるためであり、本発明の画像表示プログラムには、上記の基本形態のみではなく、上述した本発明の画像表示装置の各形態に対応する各種の形態が含まれる。
【００２２】
また、本発明の画像表示プログラムが組み込まれるコンピュータシステムは、１台のコンピュータと周辺機器からなるものであってもよく、あるいは複数台のコンピュータを含むものであってもよい。
【００２３】
さらに、本発明の画像表示プログラムを構成する画像データ取得部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【発明の効果】
【００２４】
以上、説明したように、本発明の画像表示装置によれば、配信された画像を、その画像を観賞する者に対する娯楽性を持たせて表示することができる。
【発明を実施するための最良の形態】
【００２５】
以下図面を参照して本発明の実施の形態を説明する。
【００２６】
図１は、本発明の画像表示装置の一実施形態として動作するコンピュータの外観斜視図であり、図２は、図１に示すコンピュータのハードウェア構成図である。本発明の一実施形態としての画像表示装置は、このコンピュータ１００のハードウェアとその内部で実行されるソフトウェアとの組合せにより実現される。
【００２７】
図１および図２に示すコンピュータ１００は、外観構成上、本体装置１０１、その本体装置１０１からの指示に応じて表示画面１０２ａ上に画像を表示するモニタ１０２、本体装置１０１に、キー操作に応じた各種の情報を入力するキーボード１０３、および、表示画面１０２ａ上の任意の位置を指定することにより、その位置に表示された、例えばアイコン等に応じた指示を入力するマウス１０４を備えている。この本体装置１０１は、外観上、フレキシブルディスクを装填するためのフレキシブルディスク装填口１０１ａ、およびＣＤ−ＲＯＭを装填するためのＣＤ−ＲＯＭ装填口１０１ｂを有する。
【００２８】
本体装置１０１の内部には、図２に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、フレキシブルディスク１１８が装填されその装填されたフレキシブルディスク１１８をアクセスするＦＤドライブ１１４、ＣＤ−ＲＯＭ１１９が装填され、その装填されたＣＤ−ＲＯＭ１１９をアクセスするＣＤ−ＲＯＭドライブ１１５、外部装置との通信を実行するＩ／Ｏインタフェース１１６が内蔵されており、これらの各種要素と、さらに図１にも示す画像表示装置１０２、キーボード１０３、マウス１０４は、バス１１７を介して相互に接続されている。
【００２９】
ここで、ＣＤ−ＲＯＭ１１９には、本発明の画像表示プログラムの一実施形態である、このコンピュータ１００を本発明の画像表示装置の一実施形態として動作させるための画像表示プログラムが記憶されており、そのＣＤ−ＲＯＭ１１９はＣＤ−ＲＯＭドライブ１１５に装填され、そのＣＤ−ＲＯＭ１１９に記憶された画像表示プログラムがこのコンピュータ１００にアップロードされてハードディスク装置１１３に記憶される。ここで、このＣＤ−ＲＯＭ１１９に記憶されている画像データ変換プログラムがハードディスク装置１１３にアップロードされて格納された場合であっても、更に、フレキシブルディスク１１８にダウンロードされた場合であっても、いずれも本発明の画像表示プログラムの一実施形態に相当する。
【００３０】
図３は、本発明の画像表示プログラムの第１実施形態を示す図である。ここでは、この第１実施形態である第１画像表示プログラム１２０は、ＣＤ−ＲＯＭ１１９に記憶される。
【００３１】
このように、図３には、第１画像表示プログラム１２０がＣＤ−ＲＯＭという記憶媒体に記憶される例が示されているが、第１画像表示プログラム１２０は、ＣＤ−ＲＯＭ以外の記憶媒体に記憶されても良い。例えば、第１画像表示プログラム１２０は、図２に示すハードディスク装置１１３に記憶されても良いし、あるいは図２に示すフレキシブルディスク１１８に記憶されても良い。
【００３２】
第１画像表示プログラム１２０は、図２および図３に示すコンピュータ１００内で実行され、そのコンピュータ１００を、本発明の画像表示装置の第１実施形態として動作させるソフトウェアであり、通信処理部１２１と画像データ取得処理部１２２と情報入手処理部１２３と表示処理部１２４と登録処理部１２５とを有する。ここで、画像データ取得処理部１２２、情報入手処理部１２３、および表示処理部１２４は、それぞれ、本発明の画像表示プログラムにおける、画像データ取得処理部、情報入手処理部、および表示処理部の各一例に相当する。第１画像表示プログラム１２０の上記の各要素の詳細については後述する。
【００３３】
図４は、本発明の画像表示装置の第１実施形態の機能ブロック図である。
【００３４】
図４には、本発明の画像表示装置の第１実施形態として、互いに同等な装置である２つの第１画像表示装置２００，３００が示されている。これら２つの第１画像表示装置２００，３００は、ともに図３に示す第１画像表示プログラム１２０が図１及び図２に示すコンピュータ１００にインストールされて実行されることにより構成されるものである。ここで、図４では、これら２つの第１画像表示装置２００，３００のうちの一方に着目して、その着目した第１画像表示装置２００の機能ブロックが代表的に示されている。以下では、この着目した方の装置を、本第１画像表示装置２００、もう一方の装置を他第１画像表示装置３００と呼び、さらに本第１画像表示装置２００のユーザを本ユーザＹ１、他第１画像表示装置３００のユーザを他ユーザＹ２と呼ぶ。
【００３５】
図４に示す本第１画像表示装置２００は、通信部２１０と画像データ記憶部２２０と画像データ取得部２３０と情報入手部２４０と表示部２５０と登録部２６０とから構成されている。ここで、通信部２１０、画像データ取得部２３０、情報入手部２４０、表示部２５０、および登録部２６０は、図３に示す画像表示プログラム１２０を構成する、通信処理部１２１、画像データ取得処理部１２２、情報入手処理部１２３、表示処理部１２４、および登録処理部１２５にそれぞれ対応するが、図４の各要素は、図１に示すコンピュータ１００のハードウェアとそのパーソナルコンピュータで実行されるＯＳやアプリケーションプログラムとの組合せで構成されているのに対し、図３に示す画像表示プログラムの各要素はそれらのうちのアプリケーションプログラムのみにより構成されている点が異なる。
【００３６】
ここで、通信部２１０、画像データ取得部２３０、情報入手部２４０、および表示部２５０は、それぞれ、本発明の画像表示装置における、通信部、画像データ取得部、情報入手部、および表示部の各一例に相当する。
【００３７】
情報記憶装置４００は、上記の本ユーザＹ１および他ユーザＹ２それぞれからアクセス可能な装置であって、これら本ユーザＹ１および他ユーザＹ２によって、それぞれ本第１画像表示装置２００および他第１画像表示装置３００が用いられて情報が登録される装置である。
【００３８】
以下、図４に示す本第１画像表示装置２００の各要素を説明することによって、図３に示す第１画像表示プログラム１２０の各要素も合わせて説明する。
【００３９】
通信部２１０では、装置外部との情報の受け渡しが実施される。ここで、この通信部２１０は、送信部２１１と受信部２１２とを備えている。
【００４０】
送信部２１１では、本ユーザＹ１が例えばデジタルカメラを用いた撮影によって得た画像データ等といった情報の、他第１画像表示装置３００への送信が実施される。送信部２１１は、画像データ記憶部２２０に記憶されている画像データの中から、本ユーザＹ１が指定した画像データＤ１を読出し、その画像データＤ１を送信する。ここで、送信部２１１は、その画像データＤ１を送信する際には、その画像データＤ１に本ユーザＹ１を示す、本ユーザの識別情報Ｉ１を付加することにより第１識別情報付画像データＤＩ１を生成し、その第１識別情報付画像データＤＩ１を他第１画像表示装置３００へ送信する。ここで、本ユーザの識別情報Ｉ１は、本ユーザＹ１からの、例えば初期設定等といった操作に基づいて本第１画像表示装置２００自体が予め認識している情報である。さらに、送信部２１１は、送信した第１識別情報付画像データＤＩ１を構成する画像データＤ１と同等の画像データＤ１に、他第１画像表示装置３００で第１識別情報付画像データＤＩ１を受領する他ユーザＹ２を示す識別情報Ｉ２を付加することにより第２識別情報付画像データＤＩ２を生成し、その第２識別情報付画像データＤＩ２を画像データ記憶部２２０に送る。ここで、上記の他ユーザＹ２を示す識別情報Ｉ２は、本ユーザＹ１が他ユーザＹ２を送信先として指定することによって得られる情報である。
【００４１】
受信部２１２では、他第１画像表示装置３００から送信されて来る、画像データ等といった情報の受信が実施される。ここで、上述したように他第１画像表示装置３００は、ここで説明している本第１画像表示装置２００と同等な装置であり、上記の送信部２１１と同等な送信部を備えている。つまり、他第１画像表示装置３００から送信されて来る画像データも、上述の送信部２１１から送信される第１識別情報付画像データＤＩ１のデータ構造と同様のデータ構造を有する識別情報付画像データである。以下では、この他第１画像表示装置３００から送信されて来る識別情報付画像データを第３識別情報付画像データＤＩ３と呼ぶ。この第３識別情報付画像データＤＩ３は、画像データＤ２に、その画像データＤ２を例えばデジタルカメラを用いた撮影等によって作成した他ユーザＹ２を示す識別情報Ｉ２が付加されて構成されたものである。また、受信部２１２で受信された第３識別情報付画像データＤＩ３は、上記の第２識別情報付画像データＤＩ２と同様に、画像データ記憶部２２０に送られる。
【００４２】
画像データ記憶部２２０では、通信部２１０の送信部２１１と受信部２１２とのそれぞれから送られてくる、上記の第２識別情報付画像データＤＩ２と上記の第３識別情報付画像データＤＩ３とが記憶される。
【００４３】
画像データ取得部２３０は、本ユーザＹ１が画像を観賞するに当り、観たい画像を指定するという本ユーザＹ１からの操作を受けて、画像データ記憶部２２０に記憶されている、第２識別情報付画像データＤＩ２あるいは上記の第３識別情報付画像データＤＩ３の中から、本ユーザＹ１によって指定された識別情報付画像データを取得する。そして、画像データ取得部２３０では、第２識別情報付画像データＤＩ２は、送信部２１１が送信した画像データＤ１と他ユーザＹ２の識別情報Ｉ２に分割され、第３識別情報付画像データＤＩ３は、受信部２１２が受信した画像データＤ２と他ユーザＹ２の識別情報Ｉ２に分割される。そして、画像データ取得部２３０は、上記の他ユーザＹ２の識別情報Ｉ２を情報入手部２４０に送り、上記の画像データＤ１，Ｄ２を表示部２５０に送る。
【００４４】
前述したように、情報記憶装置４００には、本ユーザＹ１および他ユーザＹ２によって情報が登録されており、この情報は情報記憶装置４００内で本ユーザＹ１や他ユーザＹ２に対応付けられて記憶されている。情報入手部２４０は、情報記憶装置４００内のデータが記憶されている領域を検索範囲とし、その検索範囲内を、画像データ取得部２３０から送られてきた上記の識別情報Ｉ２を用いて検索し、その識別情報Ｉ２が示す他ユーザＹ２が登録しておいた情報のうちの最新の情報を、その他ユーザＹ２の人物関係情報Ａ１として入手する。ここで、他ユーザＹ２が情報記憶装置４００に登録する情報の表現形式は、静止画であっても良く、動画であっても良く、文字であっても良い。そして、その人物関係情報Ａ１が表示部２５０に送られる。
【００４５】
表示部２５０では、画像データ取得部２３０から送られてきた画像データＤ１，Ｄ２が表わす画像とともに、情報入手部２４０から送られてきた人物関係情報Ａ１が表示される。
【００４６】
登録部２６０は、本ユーザＹ１の操作をうけて、その本ユーザＹ１に関わる人物関係情報（静止画、動画、文字等）Ａ２を情報記憶装置４００に登録する。
【００４７】
図５は、本第１画像表示装置の表示部によって表示される画像の一例を示す図である。
【００４８】
図５に示すように、表示部２５０の表示画面の左側には、例えばデジタルカメラを用いた撮影等によって得られた撮影画像（静止画、動画）Ｇが表示され、表示画面の右側には、例えば上述の他ユーザの近況等を表わす、人物関係情報（静止画、動画、文字画像等）Ａ１が表示される。このように、本発明の画像表示装置の第１実施形態である本第１画像表示装置２００によれば、配信されてきた画像を、その画像にユーザに対する娯楽性を付加して表示することができる。
【００４９】
また、上記の人物関係情報Ａ１は、図４を参照して説明したように、他ユーザＹ２が情報記憶部４００に登録した情報のうちの最新の情報である。つまり、他ユーザＹ２が新たな情報を情報記憶部４００に登録する度に、たとえ撮影画像Ｇが同じ画像であっても、その隣に新たな内容を有する人物関係情報Ａ１が表示されることとなる。従って、本ユーザＹ１は、１つの撮影画像Ｇを繰返し楽しむことができる。また、本ユーザＹ１と他ユーザＹ２との双方が、人物関係情報として互いの近況を示す情報を情報記憶部４００に登録しあうことにより、互いの画像表示装置２００，３００において表示される上記の人物関係情報Ａ１を通してコミュニケーションを図ることもできる。
【００５０】
次に、本発明の画像表示プログラムの第２実施形態、および本発明の画像表示装置の第２実施形態について説明する。
【００５１】
図６は、本発明の画像表示プログラムの第２実施形態を示すを示す図である。図６の例では、この第２実施形態である第２画像表示プログラム１３０は、ＣＤ−ＲＯＭ１１９に記憶されているが、この第２画像表示プログラム１３０は、例えば図２に示すハードディスク装置１１３やフレキシブルディスク１１８等といったＣＤ−ＲＯＭ以外の記憶媒体に記憶されても良い。
【００５２】
第２画像表示プログラム１３０は、図２および図３に示すコンピュータ１００内で実行され、そのコンピュータ１００を、本発明の画像表示装置の第２実施形態として動作させるソフトウェアであり、通信処理部１２１と画像データ取得処理部１２２と情報入手処理部１３１と表示処理部１２４と登録処理部１２５とを有する。尚、これらの構成要素のうち、図３に示す画像表示プログラム１２０の構成要素と同等な構成要素には図３と同じ符号を付して重複説明を省略する。
【００５３】
また、図６に示す第２画像表示プログラム１３０では、情報入手処理部１３１が、本発明の画像表示プログラムにおける情報入手処理部の一例に相当する。
【００５４】
図７は、本発明の画像表示装置の第２実施形態の機能ブロック図である。
【００５５】
図７には、本第２画像表示装置５００と、図４にも示した他第１画像表示装置３００とが示されている。ここで図７の例では、本第２画像表示装置５００のみが本発明の画像表示装置の第２実施形態であり、他第１画像表示装置３００は、図４を参照して説明したように本発明の画像表示装置の第１実施形態である。上記の本第２画像表示装置５００は、図６に示す第２画像表示プログラム１３０が図１及び図２に示すコンピュータ１００にインストールされて実行されることにより構成されるものである。図７には、本発明の画像表示装置の第２実施形態の機能ブロックとして、本第２画像表示装置５００の機能ブロックが示されている。
【００５６】
図７に示す本第２画像表示装置５００は、通信部２１０と画像データ記憶部２２０と画像データ取得部２３０と情報入手部２４０と表示部２５０と登録部２６０と情報記憶部５１０とから構成されている。尚、これらの構成要素のうち、図４に示す本第１画像表示装置２００の構成要素と同等な構成要素には図４と同じ符号を付して重複説明を省略する。ここで、図７に示す本第２画像表示装置が備えている情報記憶部５１０が、本発明の画像表示装置における情報記憶部の一例に相当する。
【００５７】
また、図６に示す第２画像表示プログラム１３０の各構成要素と、図７に示す本第２画像表示装置５００の各構成要素との対応関係は、図３および図４を参照して説明した第１画像表示プログラム１２０の各構成要素と本第１画像表示装置２００の各構成要素との対応関係と同様である。
【００５８】
図７に示す本第２画像表示装置５００においても、図４に示す本第１画像表示装置２００と同様に、表示部２５０の表示画面には、送信あるいは受信された画像とともに、その画像を送信あるいは受信した他ユーザＹ２に関わる人物関係情報Ａ１が表示される。ここで、この本第２画像表示装置５００において表示部２５０の表示画面に表示される画像は、図５を参照して説明した、図４に示す本第１画像表示装置の表示部２５０の表示画面に表示される画像と同等の画像であるので以下では重複説明を省略する。
【００５９】
以下説明する図７に示す本第２画像表示装置５００では、上記の人物関係情報Ａ１の入手先、および本ユーザＹ１自身に関わる人物関係情報Ａ２の登録先が、本第２画像表示装置５００が備えている情報記憶部５１０である点が、図４に示す本第１画像表示装置２００とは異なる。
【００６０】
情報記憶部５１０には、上記の人物関係情報Ａ１，Ａ２が記憶される。ここで、情報記憶部５１０は、通信部２１０を介して、他第１画像表示装置３００からのアクセスが可能であり、他第１画像表示装置３００は、他ユーザＹ２に関わる人物関係情報Ａ１を、通信部２１０を介してこの情報記憶部５１０に書き込む。一方、本第２画像表示装置５００の登録部２６０は、本ユーザＹ１に関わる人物関係情報Ａ２を書き込む。また、他第１画像表示装置３００は、本ユーザＹ１に関わる人物関係情報Ａ２を、通信部２１０を介して情報記憶部５１０から読み出し、本第２画像表示装置５００の情報入手部２４０は、他ユーザＹ２に関わる人物関係情報Ａ１を情報記憶部５１０から直接読み出す。
【００６１】
以上、図７を参照して説明した、本発明の画像表示装置の第２実施形態によっても、通信先から配信された画像を、その画像に娯楽性を付加して表示することができる。
【００６２】
次に、本発明の画像表示プログラムの第３実施形態、および本発明の画像表示装置の第３実施形態について説明する。
【００６３】
図８は、本発明の画像表示プログラムの第３実施形態を示すを示す図である。この第３実施形態である第３画像表示プログラム１４０は、図８に示すようにＣＤ−ＲＯＭ１１９に記憶されても良く、あるいは、例えば図２に示すハードディスク装置１１３やフレキシブルディスク１１８等といったＣＤ−ＲＯＭ以外の記憶媒体に記憶されても良い。
【００６４】
第３画像表示プログラム１４０は、図２および図３に示すコンピュータ１００内で実行され、そのコンピュータ１００を、本発明の画像表示装置の第３実施形態として動作させるソフトウェアであり、通信処理部１２１と画像データ取得処理部１２２と表示処理部１２４と登録処理部１２５と共通情報入手処理部１４１とを有する。尚、これらの構成要素のうち、図３に示す画像表示プログラム１２０の構成要素と同等な構成要素には図３と同じ符号を付して重複説明を省略する。
【００６５】
また、図８に示す第２画像表示プログラム１４０では、共通情報入手処理部１４１が、本発明の画像表示プログラムにおける情報入手処理部の一例に相当する。
【００６６】
図９は、本発明の画像表示装置の第３実施形態の機能ブロック図である。
【００６７】
図９には、本第３画像表示装置６００と、他第３画像表示装置７００と、図４にも示した情報記憶装置４００とが示されている。ここで、本第３画像表示装置６００と、他第３画像表示装置７００とは互いに同等な装置であり、ともに本発明の画像表示装置の第３実施形態である。これら本第３画像表示装置６００および他第３画像表示装置７００は、図８の第３画像表示プログラム１４０が図１及び図２に示すコンピュータ１００にインストールされて実行されることにより構成されるものである。図９には、本発明の画像表示装置の第３実施形態の機能ブロックとして、本第３画像表示装置６００の機能ブロックが代表的に示されている。
【００６８】
図９に示す本第３画像表示装置６００は、通信部２１０と画像データ記憶部２２０と画像データ取得部２３０と表示部２５０と登録部２６０と共通情報入手部６１０とから構成されている。尚、これらの構成要素のうち、図４に示す本第１画像表示装置２００の構成要素と同等な構成要素には図４と同じ符号を付して重複説明を省略する。ここで、図９に示す本第３画像表示装置６００では、共通情報入手部６１０が、本発明の画像表示装置における情報入手部の一例に相当する。
【００６９】
また、図８に示す第３画像表示プログラム１４０の各構成要素と、図９に示す本第３画像表示装置６００の各構成要素との対応関係は、図３および図４を参照して説明した第１画像表示プログラム１２０の各構成要素と本第１画像表示装置２００の各構成要素との対応関係と同様である。
【００７０】
図９に示す本第３画像表示装置６００の構成と動作は、図４に示す本第１画像表示装置２００の構成と動作とほぼ同様であるが、表示部２５０に、画像とともに、その画像を送信あるいは受信した他ユーザＹ２と、現在その画像を所有している本ユーザＹ１との双方に関わる共通情報Ａ３が表示される点が異なる。この共通情報Ａ３は、以下に説明する共通情報入手部６１０によって入手される。
【００７１】
本第３画像表示装置６００が備えている画像データ取得部２３０では、図４を参照して説明したように、送信あるいは受信された、識別情報付画像データが取得され、その識別情報付画像データに含まれる画像データＤ３が表示部２５０へ、他ユーザＹ２の識別情報Ｉ２が共通情報入手部６１０に送られる。
【００７２】
共通情報入手部６１０は、情報記憶装置４００内のデータが記憶されている領域を検索範囲とする。
【００７３】
ここで、以下に説明する図９の例では、情報記憶装置４００内には複数のユーザが情報を登録するデータベースが複数存在し、また、各データベースにはそのデータベースに情報を登録した複数のユーザそれぞれを示す識別情報が記されているリストが添付されている。さらに、そのリストには、各ユーザがそのデータベースに情報を登録した日付も記されている。
【００７４】
共通情報入手部６１０は、そのような複数のデータベースが格納されている領域を検索範囲とし、その検索範囲内を、画像データ取得部２３０から受け取った他ユーザＹ２の識別情報Ｉ２と、本第３画像表示装置６００自体が予め認識している本ユーザの識別情報Ｉ１との両方を用いて検索し、まず、他ユーザＹ２と本ユーザＹ１との双方の識別情報Ｉ１，Ｉ２が記されているリストが添付されたデータベースを選択する。そのようなデータベースが複数ある場合には、各データベースについて、そのデータベースに添付されているリストに記されている情報の中から、他ユーザＹ２が最近に情報を登録した日付を求め、その日付が最近のものを、他ユーザＹ２が最近にアクセスしたデータベースとして上記の複数のデータベースの中から選択する。次に、共通情報入手部６１０は、選択したデータベース内に格納されている情報のうちの最新情報を、他ユーザＹ２と本ユーザＹ１との双方に関わる共通情報Ａ３として入手する。ここで、情報記憶装置４００から入手される共通情報Ａ３は、例えば、情報記憶装置４００内の、他ユーザＹ２と本ユーザＹ１との双方に共通する趣味に関する情報が記憶される記憶領域に記憶されている情報のうちの最新情報等といった情報である。
【００７５】
このような共通情報入手部６１０を備えることにより、本第３画像表示装置６００は、画像とともに、その画像を送信あるいは受信した他ユーザＹ２と、現在その画像を所有している本ユーザＹ１との双方に関わる共通情報Ａ３を表示部２５０の表示画面に表示することができる。
【００７６】
尚、本実施形態における共通情報入手部と情報記憶装置との関係は、図９を参照して説明したような関係に限らず、そのような関係に替わる、次のような関係が考えられる。
【００７７】
例えば、情報記憶装置には、特定のグループに属するメンバに関する情報のみが登録されるデータベースが、複数のグループについて格納されているとする。一方、上記共通情報入手部は、まず、他ユーザＹ２と本ユーザＹ１それぞれの識別情報から、他ユーザＹ２と本ユーザＹ１との双方が属するグループを示すグループ識別情報を導き出す。そして、共通情報入手部は、情報記憶装置内をそのグループ識別情報を用いて検索し、情報記憶装置内に格納されている複数のデータベースの中から、そのグループ識別情報が示す特定のグループに対応するデータベースを選択する。さらに、そのデータベースに登録されている情報の中から最新情報を、上述の共通情報Ａ３として入手する。
【００７８】
あるいは、例えば、上記共通情報入手部は、他ユーザＹ２と本ユーザＹ１それぞれの識別情報をそのまま情報記憶装置に送るものであるとする。一方、情報記憶装置は、送られてきた識別情報を用いて、自身の内部を検索して他ユーザＹ２と本ユーザＹ１との双方に関わる情報のうちの最新情報を取得し、その情報を共通情報入手部に返すという能動的な役割を果たす。ここで、情報記憶装置による、自身内部の検索方法は、図９の共通情報入手部６１０が実施するような方法であっても良いし、上記の別例における共通情報入手部が実施するような方法であっても良い。
【００７９】
図１０は、本第３画像表示装置の表示部によって表示される画像の一例を示す図である。
【００８０】
図１０に示すように、表示部２５０の表示画面の左側には、例えばデジタルカメラを用いた撮影等によって得られた撮影画像（静止画、動画）Ｇが表示され、表示画面の右側には、例えば他ユーザＹ２と本ユーザＹ１との双方に共通する趣味に関する情報等といった共通情報Ａ３が、静止画あるいは動画あるいは文字画像等といった画像に変換されて表示される。
【００８１】
以上、図９および図１０を参照して説明した、本発明の画像表示装置の第３実施形態によっても、通信先から配信された画像を、その画像を観賞する者に対する娯楽性を持たせて表示することができる。
【００８２】
尚、以上説明した第１〜第３実施形態では、それぞれの実施形態における表示部の表示画面における、デジタルカメラを用いた撮影等によって得られた撮影画像と、画像化された上述の人物関係情報あるいは共通情報との配置として、両者が左右に並ぶという配置を例示したが、表示画面における上記の配置はこの例に限るものではない。表示画面における配置は、上述の人物関係情報あるいは共通情報が例えば撮影画像の中に入り込む等といった配置であっても良い。
【００８３】
また、第１〜第３実施形態における本発明にいう表示部の一例は、静止画あるいは動画を表示するとしか説明しなかったが、本発明にいう表示部は、音声付の静止画あるいは動画を表示するものであっても良い。
【００８４】
また、第１〜第３実施形態では、表示画面における上記の配置は１種類に限定されている例を挙げたが、上記の配置はこの例に限るものではない。例えば、撮影画像を受領する側の画像表示装置の表示画面におけるその撮影画像と上述の人物関係情報あるいは共通情報との配置は、その撮影画像を配信する側において複数パターンの中から選ばれるものであっても良い。この場合、撮影画像を受領する側の画像表示装置では、配信する側において選ばれたパターンに従って撮影画像と上述の人物関係情報あるいは共通情報とが表示画面に配置される。
【図面の簡単な説明】
【００８５】
【図１】本発明の画像表示装置の一実施形態として動作するコンピュータの外観斜視図である。
【図２】図１に示すコンピュータのハードウェア構成図である。
【図３】本発明の画像表示プログラムの第１実施形態を示す図である。
【図４】本発明の画像表示装置の第１実施形態の機能ブロック図である。
【図５】本第１画像表示装置の表示部によって表示される画像の一例を示す図である。
【図６】本発明の画像表示プログラムの第２実施形態を示すを示す図である。
【図７】本発明の画像表示装置の第２実施形態の機能ブロック図である。
【図８】本発明の画像表示プログラムの第３実施形態を示すを示す図である。
【図９】本発明の画像表示装置の第３実施形態の機能ブロック図である。
【図１０】本第３画像表示装置の表示部によって表示される画像の一例を示す図である。
【符号の説明】
【００８６】
１００    コンピュータ
１０１    本体装置
１０２    モニタ
１０２ａ    表示画面
１０３    キーボード
１０４    マウス
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１１８    フレキシブルディスク
１１９    ＣＤ−ＲＯＭ
１２０    第１画像表示プログラム
１２１    通信処理部
１２２    画像データ取得処理部
１２３    情報入手処理部
１２４    表示処理部
１２５    登録処理部
１３０    第２画像表示プログラム
１３１    情報入手処理部
１４０    第３画像表示プログラム
１４１    共通情報入手処理部
２００    本第１画像表示装置
２１０    通信部
２１１    送信部
２１２    受信部
２２０    画像データ記憶部
２３０    画像データ取得部
２４０    情報入手部
２５０    表示部
２６０    登録部
３００    他第１画像表示装置
４００    情報記憶装置
５００    本第２画像表示装置
５１０    情報記憶部
６００    本第３画像表示装置
６１０    共通情報入手部
７００    他第３画像表示装置
【図１】
2005184148.tif 000003
【図２】
2005184148.tif 000004
【図３】
2005184148.tif 000005
【図４】
2005184148.tif 000006
【図５】
2005184148.tif 000007
【図６】
2005184148.tif 000008
【図７】
2005184148.tif 000009
【図８】
2005184148.tif 000010
【図９】
2005184148.tif 000011
【図１０】
2005184148.tif 000012